(57)【要約】      （修正有）【課題】被締結物相互のボルト、ナットによる締結状態の作業完了の有無を目視で容易に確認でき、しかも緩みが少ないままで長期にわたって締結状態を維持できるボルト・ナット締結具を提供する。【解決手段】被締結物Ｃ，Ｐ相互をネジ止め固定するボルト・ナット締結具であって、ボルト本体１と、ボルト本体１のネジ部にネジ止めされるナットワッシャ３付きナット本体２と、ボルト本体１の頭部がわで嵌め合わせたボルトワッシャ４と、このボルトワッシャ４と頭部との間で嵌め合わせ介在されるスプリングワッシャ５とを備える。スプリングワッシャ５は、ボルト本体１とナット本体２とのネジ止め締結完了時では扁平状に押し潰されるようになっている。【選択図】図２
0003214871.tif 000002
【実用新案登録請求の範囲】
【請求項１】
被締結物相互をネジ止め固定するボルト・ナット締結具であって、ボルト本体と、ボルト本体のネジ部にネジ止めされるナットワッシャ付きナット本体と、ボルト本体の頭部がわで嵌め合わせたボルトワッシャと、このボルトワッシャと頭部との間で嵌め合わせ介在されるスプリングワッシャとを備えたことを特徴とするボルト・ナット締結具。
【請求項２】
スプリングワッシャは、ボルト本体とナット本体とのネジ止め締結完了時では扁平状に押し潰されるようになっている請求項１に記載のボルト・ナット締結具。
【考案の詳細な説明】
【技術分野】
【０００１】
この考案は、例えばビル、工場、住宅等の建築構造物における間仕切り用の胴縁、ブラケット等の各種構造物をネジ止め固定するに際し、確実、強固に固定でき、またその締結状態を容易に確認できるようにしたボルト・ナット締結具に関する。
【背景技術】
【０００２】
従来から、各種構造物の組立、部材その他の設置固定のためにそれらの構成部材に貫挿させたボルト及び貫挿されたボルトにネジ止めされるナットによって各種の構成部材を被構造物に固定している。このボルト・ナットによる締結固定に際し、構成部材、被構造物等の表面に接触するボルト頭部面、ナット面にはワッシャを介在させることで締結される被締結物である構成部材、被構造物等の座面それぞれに負荷される面圧を小さくして座面陥没を防止し、またネジ止め締結後の緩みを低減できるようにしている。
【０００３】
このようなボルト、ナットによる締結の場合、螺旋状に回転操作されるネジ止めによって固定するから、被締結物に生じる振動あるいは外部からの振動その他によってネジ止め状態が緩み、被締結物相互を離反させてしまうことがある。
【０００４】
このような点を解消すべく、例えば特許文献１に示されるように、中ボルトに平座金を組み合わせて形成した座金ボルトと、ナットに皿ばね座金を設けた皿ばねナットとを用意し、これらによって被締結物相互をネジ止めするボルト連結構造がある。
【０００５】
この特許文献１のボルト連結構造によると、いわゆるダブルナット態様、あるいは被締結面とナット側ワッシャとの間にあるいは被締結面とナット面との間にスプリングワッシャを介在させたスプリングワッシャ介在態様等の締結構成に比し、初期締付軸力が長時間持続することで緩み止め作用が維持される利点が得られる。
【先行技術文献】
【特許文献】
【０００６】
【特許文献１】登録実用新案第３１６１３０３号公報
【考案の概要】
【考案が解決しようとする課題】
【０００７】
ところがこの特許文献１によるボルト連結構造では、ネジ止め後の被締結物面には座金ボルト、皿ばねナットそれぞれの座金面が密着状態となって被締結物相互を締結しているところ、例えば建築構造物における間仕切り等の胴縁材に角チャンネル材を固定するときの通しボルトとするとき、座金自体はボルト、ナットそれぞれと一体的になっているために、被締結物面に密着された締結状態となっているか否かが目視ではなかなか困難であった。
【０００８】
しかも、間仕切り工事においていずれか一方がわの作業箇所からは反対がわの他方の作業箇所を見ることができないことがあり、そのために最終的な締結状態の是非を確認することができない場合もあった。
【０００９】
そこでこの考案は叙上のような従来存した諸事情に鑑み案出されたもので、その目的は、被締結物相互のボルト、ナットによる締結状態を緩みが少ないままで長期にわたって維持できるのはもとより、その締結作業後における締結状態の有無を目視で容易に確認できるようにしたボルト・ナット締結具を提供することにある。
【課題を解決するための手段】
【００１０】
上述した課題を解決するため、この考案にあっては、被締結物（Ｃ，Ｐ）相互をネジ止め固定するボルト・ナット締結具であって、ボルト本体１と、ボルト本体１のネジ部にネジ止めされるナットワッシャ３付きナット本体２と、ボルト本体１の頭部がわで嵌め合わせたボルトワッシャ４と、このボルトワッシャ４と頭部との間で嵌め合わせ介在されるスプリングワッシャ５とを備えたことを特徴とする。
スプリングワッシャ５は、ボルト本体１とナット本体２とのネジ止め締結完了時では扁平状に押し潰されるようになっているものとして構成できる。
【００１１】
以上のように構成されたこの考案に係るボルト・ナット締結具にあって、被締結物（Ｃ，Ｐ）相互に貫挿したボルト本体１と、このボルト本体１にねじ込まれるナット本体２とでネジ止め締結するとき、その締結作業の完了後ではボルト本体１の頭部がわのスプリングワッシャ５が押し潰されるから、その状況を目視することで完了の有無を確認させる。
ナット本体２のナットワッシャ３、ボルト本体１の頭部がわのボルトワッシャ４それぞれは被締結物（Ｃ，Ｐ）面に当接してナット本体２、ボルト本体１に対する回転ネジ止め作業を円滑にさせ、また締結圧を分散させて被締結物（Ｃ，Ｐ）面を保護させる。
スプリングワッシャ５は、ボルト本体１あるいはナット本体２のネジ止め回転に伴い次第に押し潰されるとき、ボルト本体１の頭部とボルトワッシャ４との間に介在されていることで無理なく押し潰され、ネジ止め回転による締結作業を阻害しない。
【考案の効果】
【００１２】
この考案は以上説明したように構成されているため、例えば建築構造物における間仕切り用の間柱Ｐ、チャンネル材Ｃ相互の締結に際し、ボルト本体１の頭部がわに配してあるスプリングワッシャ５の状況を目視することで、それが押し潰されているときには締結状態が完了していることを意味するから、その締結作業の有無を容易に確認できる。また、ナットワッシャ３、ボルトワッシャ４の被締結物（Ｃ，Ｐ）面との当接でネジ止め回転作業を円滑に遂行でき、目視による作業完了の有無の容易性と相俟ち、作業効率を一層向上させるのに役立つ。
【００１３】
すなわちこれはこの考案において、ボルト本体１、ナットワッシャ３付きナット本体２、ボルトワッシャ４、このボルトワッシャ４と頭部との間で嵌め合わせ介在されるスプリングワッシャ５を備えたからであり、目視による締結作業完了の有無確認、締結作業のスムーズな実施を可能にしている。
【００１４】
また、ボルト本体１の頭部がわに嵌め入れたボルトワッシャ４と頭部との間でスプリングワッシャ５を嵌め入れ介在させてあることで、ナット本体２あるいはボルト本体１等のネジ止め回転作業に伴いスプリングワッシャ５を無理なく円滑に押し潰すことができ、またネジ止め回転作業を阻害しないから、作業効率を大きく向上できる。
【００１５】
尚、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１６】
【図１】この考案を実施するための一形態を示す分解斜視図である。
【図２】同じく被締結物相互の一例の締結状態における断面図で、その（Ａ）は締結作業前、（Ｂ）は締結作業後である。
【図３】同じく従来の締結具による締結状態とこの考案締結具との比較データを示すグラフ図である。
【図４】（ａ）、（ｂ）、（ｃ）は従来の締結具の構成例を示す側面図である。
【考案を実施するための形態】
【００１７】
以下、図面を参照してこの考案を実施するための一形態を説明すると、図において示される符号１は所定の長さ、径によって形成されているボルト本体であり、このボルト本体１は図示例にあっては、頭部及び所定長さで形成されているオネジ部を有して成る。
【００１８】
このボルト本体１と共に使用されるナット本体２には、ボルト本体１の頭部側に位置されるようにナットワッシャ３が回転自在なフリーな状態で係合することで一体状に組み合わせられている。
【００１９】
また、ボルト本体１の頭部がわには、ボルトワッシャ４が嵌め合わせることで配置されていて、このボルトワッシャ４と頭部との間にスプリングワッシャ５が嵌め合わせてある。すなわち、被締結物（Ｃ，Ｐ）面に締結時に密着状に当接されるボルトワッシャ４は、ボルト本体１が被締結物に貫挿された状態でナット本体２がオネジ部にねじ込まれることで被締結物（Ｃ，Ｐ）相互を締結するとき、ボルト本体１がナット本体２がわにいわば引き入れられことに伴い、頭部はスプリングワッシャ５を押圧し、これによってボルトワッシャ４との間でスプリングワッシャ５が扁平状に押し潰されるようにしてある。
【００２０】
尚、このボルトワッシャ４、スプリングワッシャ５等はボルト本体１におけるネジ軸部に、通常は例えばナット本体２をボルト本体１にネジ止め組み合わせるときの事前の処理として予め嵌め合わせられるようにしてある。また、これらのボルトワッシャ４、スプリングワッシャ５はボルト本体１に単に嵌め合わせられた状態では、そのまま抜け出し離反されるから、嵌め合わせ後ではナット本体２が仮止め状態でネジ止めされる。
【００２１】
次にこれの使用の一例を説明すると、図２に示すように、例えば各種建築構造物における間仕切り構成における間柱Ｐにチャンネル材Ｃを締結固定するに際し、間柱Ｐ、チャンネル材Ｃ相互にボルト本体１を貫挿し、ナット本体２によってネジ止めするとき、上述したように予め組み合わせられているボルト本体１からナット本体２を取り外し、ボルトワッシャ４、スプリングワッシャ５が嵌め合わせられたままで例えば間柱Ｐがわからボルト本体１を貫挿させる。次いで、チャンネル材Ｃがわから突出するボルト本体１のオネジ部にナット本体２を再度ネジ止めする。このネジ止めによってボルト本体１の頭部が間柱Ｐ面に近接するに伴いボルトワッシャ４との間に介在されているスプリングワッシャ５を次第に押し潰すことになり、締結作業の完了後ではボルト本体１の頭部とボルトワッシャ４との間でスプリングワッシャ５が扁平状に押し潰された状態で挟み込まれる。
【００２２】
こうすることで、スプリングワッシャ５が押し潰された状態となっていることで、これを目視することによって締結作業の完了を確認可能としている。
【００２３】
尚、図３には、この考案による被締結物（Ｃ，Ｐ）相互間の締結後における振動実施テストの結果が、従来のこの種の締結具による締結後のそれと対比させて示されている。
【００２４】
この振動実施テストは、以下の条件の下で実施された。
試験機        ：略直角振動式ねじゆるみ試験機（株式会社島津試験機サービス製）
加振振幅      ：＋−０．５ｍｍ
振動周波数    ：３．３Ｈｚ
初期締付軸力  ：１７５００Ｎ
測定時間      ：５分間（軸力が０になった時点で終了）
【００２５】
また、振動実施テスト中に示された従来の締結具それぞれは、図４に示すように（ａ）はボルト本体１１、ナット本体１２、ボルトワッシャ１４、ナットワッシャ１３、ナット本体１２側に配したスプリングワッシャ１６から成る５ピース構成タイプ、（ｂ）はボルト本体２１、ボルトワッシャ２４、２個のナット本体２２、ナットワッシャ２３を組み合わせたいわゆるダブルナット構成タイプ、（ｃ）はボルト本体３１、ナット本体３２、ボルトワッシャ３４、ナットワッシャ３３を組み合わせた４ピース構成タイプである。
【００２６】
これによれば、この考案による締結具の利点を明確に理解することができる。
【符号の説明】
【００２７】
Ｃ…チャンネル材
Ｐ…間柱
１…ボルト本体
２…ナット本体
３…ナットワッシャ
４…ボルトワッシャ
５…スプリングワッシャ
１１…ボルト本体
１２…ナット本体
１３…ナットワッシャ
１４…ボルトワッシャ
１６…スプリングワッシャ
２１…ボルト本体
２２…ナット本体
２３…ナットワッシャ
２４…ボルトワッシャ
３１…ボルト本体
３２…ナット本体
３３…ナットワッシャ
３４…ボルトワッシャ
【図１】
0003214871.tif 000003
【図２】
0003214871.tif 000004
【図３】
0003214871.tif 000005
【図４】
0003214871.tif 000006